(57)【要約】【課題】タッチパネルに表示を意図しない物体が接触した場合であっても、所望の情報のみを表示することができる情報閲覧装置及び表示制御プログラムの提供。【解決手段】物体の接触を検出するタッチパネルが表示面に配置された表示部を備え、前記表示部に前記物体の接触部の形状が表示される情報閲覧装置において、前記タッチパネルが前記物体の接触を継続して検出している検出時間を計測し、当該検出時間が予め定めた所定時間を超えた場合、若しくは、前記検出時間が前記所定時間を超え、かつ、前記物体の接触部が移動した場合に、前記表示部に表示されている前記物体の接触部の形状を消去するデータ処理部を備える。【選択図】図５
2013058000.tif 000002
【特許請求の範囲】
【請求項１】
物体の接触を検出するタッチパネルが表示面に配置された表示部を備え、前記表示部に前記物体の接触部の形状が表示される情報閲覧装置において、
前記タッチパネルが前記物体の接触を継続して検出している検出時間を計測し、当該検出時間が予め定めた所定時間を超えた場合に、前記表示部に表示されている前記物体の接触部の形状を消去するデータ処理部を備える、ことを特徴とする情報閲覧装置。
【請求項２】
前記データ処理部は、前記検出時間が前記所定時間を超え、かつ、前記物体の接触部が移動した場合に、前記物体の接触部の形状を消去する、ことを特徴とする請求項１に記載の情報閲覧装置。
【請求項３】
前記データ処理部は、前記物体の接触部の形状、面積、移動速度の少なくとも１つに基づいて、前記物体の接触部の形状が手書き入力による形状であるかを判断し、手書き入力による形状でないと判断した場合は、前記物体の接触部の形状を消去する、ことを特徴とする請求項１又は２に記載の情報閲覧装置。
【請求項４】
前記データ処理部は、前記物体の接触部が移動した場合の各時点の前記接触部の形状を消去する、ことを特徴とする請求項１乃至３のいずれか一に記載の情報閲覧装置。
【請求項５】
前記データ処理部は、前記物体を検出後、予め定めた猶予時間を経過してから、前記検出時間の計測を開始する、ことを特徴とする請求項１乃至４のいずれか一に記載の情報閲覧装置。
【請求項６】
前記データ処理部は、前記検出時間が前記所定時間を超えた前記物体の接触部の形状を記憶し、新たに検出した物体の接触部の形状と記憶した接触部の形状とが一致する場合は、前記新たに検出した物体の接触部の形状を表示しないか、若しくは、表示した形状を消去する、ことを特徴とする請求項１乃至５のいずれか一に記載の情報閲覧装置。
【請求項７】
物体の接触を検出するタッチパネルが表示面に配置された表示部を備え、前記表示部に前記物体の接触部の形状が表示される装置で動作する表示制御プログラムであって、
前記装置を、
前記タッチパネルが前記物体の接触を継続して検出している検出時間を計測し、当該検出時間が予め定めた所定時間を超えた場合に、前記表示部に表示されている前記物体の接触部の形状を消去するデータ処理部、として機能させる、ことを特徴とする表示制御プログラム。
【請求項８】
前記データ処理部は、前記検出時間が前記所定時間を超え、かつ、前記物体の接触部が移動した場合に、前記物体の接触部の形状を消去する、ことを特徴とする請求項７に記載の表示制御プログラム。
【請求項９】
前記データ処理部は、前記物体の接触部の形状、面積、移動速度の少なくとも１つに基づいて、前記物体の接触部の形状が手書き入力による形状であるかを判断し、手書き入力による形状でないと判断した場合は、前記物体の接触部の形状を消去する、ことを特徴とする請求項７又は８に記載の表示制御プログラム。
【請求項１０】
前記データ処理部は、前記物体の接触部が移動した場合の各時点の前記接触部の形状を消去する、ことを特徴とする請求項７乃至９のいずれか一に記載の表示制御プログラム。
【請求項１１】
前記データ処理部は、前記物体を検出後、予め定めた猶予時間を経過してから、前記検出時間の計測を開始する、ことを特徴とする請求項７乃至１０のいずれか一に記載の表示制御プログラム。
【請求項１２】
前記データ処理部は、前記検出時間が前記所定時間を超えた前記物体の接触部の形状を記憶部に記憶し、新たに検出した物体の接触部の形状と記憶した接触部の形状とが一致する場合は、前記新たに検出した物体の接触部の形状を表示しないか、若しくは、表示した形状を消去する、ことを特徴とする請求項７乃至１１のいずれか一に記載の表示制御プログラム。
【発明の詳細な説明】
【技術分野】
【０００１】
本発明は、情報閲覧装置及び表示制御プログラムに関し、特に、タッチパネルが表示面に配置された表示部を備える情報閲覧装置及び当該情報閲覧装置で動作する表示制御プログラムに関する。
【背景技術】
【０００２】
近年、タブレット端末や電子ペーパー、電子ブック等の表示部を備えた装置を用いて資料や書籍などのドキュメントを閲覧するユーザが増えている。このような装置（以下、情報閲覧装置と呼ぶ。）には、表示部にタッチパネルが設けられており、タッチパネルを用いて文字などの手書き入力操作などを行うことができる。
【０００３】
上記タッチパネルを用いた入力操作に関して、例えば、下記特許文献１には、入力操作に関する可視情報を表示可能な表示部と、前記表示部の表示画面への指示を行い、入力信号を発生する入力操作部と、前記入力操作部の入力信号に基づいて処理を指示する入力制御部とを備える電子機器の入力装置であって、前記入力制御部は、前記入力信号に基づいて前記表示画面に対応する入力された位置を検出する入力位置検出部と、前記表示画面に表示する操作対象のオブジェクトの表示状態を制御する画面表示制御部と、前記画面表示制御部により前記操作対象のオブジェクトが非表示状態、または前記オブジェクトの輪郭の明瞭度が低い形態で表示状態となっている場合に、前記入力位置検出部により検出された入力位置が、入力操作に感応する感応領域としての前記オブジェクトの表示領域を含む第１の感応領域内にあるか否かを判定する入力信号解析部とを有し、前記入力信号解析部により前記入力位置が前記第１の感応領域内にあると判定した場合に、前記入力操作に対する処理を実行し、前記画面表示制御部によって前記オブジェクトを表示状態にするか、または前記オブジェクトの輪郭を表示する構成が開示されている。
【０００４】
また、下記特許文献２には、タッチパネルを備えた電子機器であって、第１形状を示した第１形状データと、第２形状を示した第２形状データとを格納する記憶装置と、前記タッチパネルの表示面に少なくとも１つの物体が接触したことを検知する検知手段と、前記検知に基づき、接触領域の形状を接触領域毎に特定する特定手段と、前記第１形状データに基づいて、前記特定された各形状の中に前記第１形状と一致する形状が存在するか否かを判断するとともに、前記第２形状データに基づいて、前記特定された各形状の中に前記第２形状と一致する形状が存在するか否かを判断する第１判断手段と、前記第２形状と一致する形状が存在すると判断されたことに基づき、前記第１形状と一致する形状が存在する場合と存在しない場合とで異なる動作を前記電子機器に実行させる実行手段とを備える構成が開示されている。
【０００５】
また、下記特許文献３には、指または導電物のセンサーパネル面上に於けるタッチ位置を検出する装置であって、前記センサーパネルは抵抗膜材料を均一に形成され、周辺を取り囲む抵抗性周囲電極を配設されて、該周囲電極の４頂点入力電圧を保持する信号処理部に接続され、前記４頂点に流れる電流値から前記パネル面上の指又は導電物の接触位置を算出するタッチパネル装置において、一定時間内に接触位置の座標が設定値より変化すると、上記接触位置を無効と判定する手段を備えた構成が開示されている。
【先行技術文献】
【特許文献】
【０００６】
【特許文献１】特開２００９−１６３３４５号公報
【特許文献２】特開２０１０−２１８２４１号公報
【特許文献３】特開２０００−２５０７１０号公報
【発明の概要】
【発明が解決しようとする課題】
【０００７】
上述したように、タッチパネルを用いて文字などの手書き入力操作などを行うことができるが、タッチパネルでは、物体の接触を検出した時に、その接触が入力のための操作であるか否かを判断しないため、表示を意図しない物体が接触した場合も入力操作であると判断してその物体の情報を表示してしまう。
【０００８】
例えば、ペンでの書き込みを行う際に、意図せずにタッチパネルに指や手などが接触してしまった場合、タッチパネルでは、指や手の接触も検出してしまうため、その接触部に指や手の形状などが表示されてしまう。また、タッチパネル上で線などを書き込む際に定規などの道具を利用する場合があるが、タッチパネルでは、この道具の接触も検出してしまうため、その接触部に道具の形状などが表示されてしまう。
【０００９】
このような問題を解決する方法として、検出が必要な時以外は検出をオフとする方法が考えられるが、この方法では、検出のオン／オフを切り替える操作が必要であるため操作が煩雑になり、また、オン／オフの切り替えを行ったとしても意図しない情報の表示を完全に防止することはできない。
【００１０】
また、特許文献１の技術を利用して、接触を検出する領域を予め定める方法も考えられるが、この方法では、予め定めた領域にしか書き込みを行うことができないため不便であり、また、予め定めた領域に道具、指や手などが接触してしまった場合には、やはり、その接触部に意図しない情報が表示されてしまう。
【００１１】
また、特許文献２の技術を利用して、予め検出しない形状を登録する方法も考えられるが、この方法では、ユーザは検出しない形状の登録処理を行わなければならないため操作が煩雑になり、また、予め登録を行ったとしても、形状が似ている物体を誤認識してしまう可能性がある。
【００１２】
また、特許文献３の技術を利用して、一定時間内に接触位置の座標が設定値より変化した場合にその接触を無効とする方法も考えられるが、この方法では、道具、指や手などの接触位置が大きく変化しなければその接触は有効となるため、やはり、意図しない情報の表示を完全に防止することはできない。
【００１３】
本発明は、上記問題点に鑑みてなされたものであって、その主たる目的は、タッチパネルに表示を意図しない物体が接触した場合であっても、所望の情報のみを表示することができる情報閲覧装置及び表示制御プログラムを提供することにある。
【課題を解決するための手段】
【００１４】
上記目的を達成するため、本発明は、物体の接触を検出するタッチパネルが表示面に配置された表示部を備え、前記表示部に前記物体の接触部の形状が表示される情報閲覧装置において、前記タッチパネルが前記物体の接触を継続して検出している検出時間を計測し、当該検出時間が予め定めた所定時間を超えた場合に、前記表示部に表示されている前記物体の接触部の形状を消去するデータ処理部を備えるものである。
【００１５】
また、本発明は、物体の接触を検出するタッチパネルが表示面に配置された表示部を備え、前記表示部に前記物体の接触部の形状が表示される装置で動作する表示制御プログラムであって、前記装置を、前記タッチパネルが前記物体の接触を継続して検出している検出時間を計測し、当該検出時間が予め定めた所定時間を超えた場合に、前記表示部に表示されている前記物体の接触部の形状を消去するデータ処理部、として機能させるものである。
【発明の効果】
【００１６】
本発明の情報閲覧装置及び表示制御プログラムによれば、タッチパネルに表示を意図しない物体が接触した場合であっても、所望の情報のみを表示することができる。
【００１７】
その理由は、情報閲覧装置（表示制御プログラム）は、タッチパネルが物体の接触を継続して検出している検出時間を計測し、その検出時間が予め定めた所定時間を超えた場合に、その物体に関する表示を消去する制御を行うからである。
【００１８】
このように、検出時間に基づいて、その物体に関する表示を消去するか否かの判断を行うため、その物体の使われ方に合った制御を行うことができる。また、予め登録作業を行う必要がないため、表示を意図しない物体の接触に起因する表示を簡便に消去することができる。
【図面の簡単な説明】
【００１９】
【図１】本発明の一実施例に係る情報閲覧装置の外観を模式的に示す斜視図である。
【図２】本発明の一実施例に係る情報閲覧装置の構成を示すブロック図である。
【図３】タッチパネルの検出原理を説明する図である。
【図４】タッチパネルに手書き入力以外のための物体（定規）を接触させた状態を示す図である。
【図５】本発明の一実施例に係る情報閲覧装置の表示制御（所定時間経過後に表示を消去する制御）を模式的に示す図である。
【図６】本発明の一実施例に係る情報閲覧装置の表示制御（所定時間経過後に表示を消去する制御）の手順を示すフローチャート図である。
【図７】本発明の一実施例に係る情報閲覧装置の表示制御（手書き入力以外の表示を消去する制御）を模式的に示す図である。
【図８】本発明の一実施例に係る情報閲覧装置の表示制御（手書き入力以外の表示を消去する制御）の手順を示すフローチャート図である。
【図９】本発明の一実施例に係る情報閲覧装置の表示制御（接触面積に基づいて手書き入力であるか否かを判断する制御）の手順を示すフローチャート図である。
【図１０】本発明の一実施例に係る情報閲覧装置の表示制御（カメラ画像に基づいて手書き入力であるか否かを判断する制御）を示す図である。
【図１１】本発明の一実施例に係る情報閲覧装置の表示制御（移動速度に基づいて手書き入力であるか否かを判断する制御）を示す図である。
【図１２】本発明の一実施例に係る情報閲覧装置の表示制御（移動速度に基づいて手書き入力であるか否かを判断する制御）の手順を示すフローチャート図である。
【図１３】本発明の一実施例に係る情報閲覧装置の表示制御の他の例を示す図である。
【図１４】本発明の一実施例に係る情報閲覧装置の表示制御の他の例を示す図である。
【図１５】形状の面積を算出する方法を説明する図である。
【図１６】形状を特定する方法を説明する図である。
【図１７】本発明の一実施例に係る情報閲覧装置の表示制御の他の例を示す図である。
【図１８】従来の方法の問題点（意図せずに触れた物体が表示される例）を説明する図である。
【図１９】従来の方法の問題点（装置を持つ手が表示される例）を説明する図である。
【図２０】従来の方法の問題点（手書き入力以外の物体が表示される例）を説明する図である。
【図２１】従来の方法の問題点（登録された形状に近い形状の物体が表示される例）を説明する図である。
【発明を実施するための形態】
【００２０】
背景技術で示したように、表示部にタッチパネルを備えたタブレット端末や電子ペーパー、電子ブック等の情報閲覧装置が普及しており、資料や書籍などのドキュメントを閲覧する用途などで使用されている。この情報閲覧装置では、タッチパネルを操作して文字などの手書き入力操作などを行うことができるが、従来の方法では、表示を意図しない物体の接触を検出して表示してしまうという問題があった。
【００２１】
例えば、本などでは、表示された内容を指などでなぞって読む場合があるが、図１８に示すように、ペンなどで書き込みをしている状態で、書き込む意図ではなく手や指がタッチパネルに接触してしまうと、その接触を入力と誤認してしまい、接触位置に手や指の情報（指の形状や指の移動軌跡）が表示されてしまう。また、図１９に示すように、装置を手で持ってペンなどで書き込みを行う場合、手や指などがタッチパネルに触れてしまうと、その接触を入力と誤認してしまい、接触位置に手や指の情報が表示されてしまう。
【００２２】
また、指、プラスチック、金属、木などの様々な材質の物体が表面に接触したことを検出可能なデジタル抵抗膜方式のようなタッチパネルにおいて、図２０に示すように、ペンなどで書き込み可能な状態で、定規などの道具を使用すると、その道具や道具に添えた手や指などの接触を入力と誤認してしまい、接触位置に道具や手、指の情報が表示されてしまう。
【００２３】
このような問題を解決する方法として、検出のオン／オフを切り替える方法があるが、この方法では、オン／オフの切り替え操作が必要になり、オン時には意図しない情報の表示を完全に防止することはできない。また、接触を検出する領域を予め定める方法もあるが、この方法では、予め定めた領域にしか書き込みを行うことができず、予め定めた領域に道具や手、指などが接触してしまった場合には、やはり、その接触部に意図しない情報が表示されてしまう。
【００２４】
また、予め検出しない形状を登録する方法もあるが、この方法では、検出しない形状の登録処理を行わなければならず、予め登録を行ったとしても、形状が似ている物体を誤認識する可能性もある。例えば、図２１に示すような電子印を利用する場合、電子印は指と形状が似ているため、指と誤認してしまう恐れがある。
【００２５】
そこで、本発明の一実施の形態では、表示を意図しない物体が接触した場合であっても、所望の情報のみを表示することができるように制御する。具体的には、情報閲覧端末にペンなどで書き込みを行う場合、物体の接触を継続して検出している検出時間を計測し、計測した検出時間が予め定めた所定時間を超えた場合は、その物体に関する表示を消去するようにする。これにより、接触時間が長いと考えられる物体（例えば、定規などの道具やユーザの指や手など）の表示を消すことができ、本来の入力情報を適切に表示することができる。また、検出させない物体をわざわざ登録する必要がないため、簡便な操作で不要な情報の表示を消去することができる。
【実施例】
【００２６】
上記した本発明の一実施の形態についてさらに詳細に説明すべく、本発明の一実施例に係る情報閲覧装置及び表示制御プログラムについて、図１乃至図１７を参照して説明する。図１は、本実施例の情報閲覧装置の外観を模式的に示す斜視図であり、図２は、情報閲覧装置の構成を示すブロック図、図３は、タッチパネルの検出原理を説明する図である。また、図４、５、７、１０、１１、１３、１４、１７は、本実施例の表示制御を模式的に示す図であり、図６、８、９、１２は、本実施例の情報閲覧装置を用いた表示制御の手順を示すフローチャート図である。また、図１５及び図１６は、形状を特定する方法を説明する図である。
【００２７】
図１に示すように、本実施例の情報閲覧装置１００は、ノート型のコンピュータ装置やタブレット端末、電子ペーパー、電子ブック等の表示機能を備えた装置である。この情報閲覧装置１００は、図２に示すように、ＣＰＵ（Central Processing Unit）１０１、メモリ１０２、表示部１０３、表示コントローラ１０４、操作部１０５、通信部１０６、電池１０７、データ処理部１０８などで構成される。
【００２８】
ＣＰＵ１０１は、メモリ１０２から読み出した制御プログラムを実行し、各部の動作を制御する制御部として機能する。
【００２９】
メモリ１０２は、ＲＯＭ（Read Only Memory）やＲＡＭ（Random Access Memory）などで構成され、ＣＰＵ１０１で動作する各種プログラム、情報閲覧装置１００の動作を制御するための設定情報、各種データ（例えば、ドキュメントのデータ）などを記憶する。
【００３０】
表示部１０３は、電子ペーパー（ＥＰＤ：Electrophoretic Display）や液晶表示装置（ＬＣＤ：Liquid Crystal Display）、有機ＥＬ（electroluminescence）表示装置等からなり、ドキュメントを表示したり、タッチパネル上に手書きされた文字などを表示したりする。なお、電子ペーパーは、一対の透明なフィルム基板の内表面に透明導電性の電極が形成され、電極間に導電性を有する黒色トナーと電気絶縁性を有する白色トナーが封入され、電極間に電圧を印加すると黒色トナーが移動して白色トナーと入れ替わって色が変化する構造を利用した表示デバイスである。
【００３１】
表示コントローラ１０４は、表示部１０３を駆動し、ＣＰＵ１０１やデータ処理部１０８の指示に従って、表示部１０３の表示を制御する。
【００３２】
操作部１０５は、電源ボタンなどのハードウェアキーと、表示部１０３上に、透明電極が格子状に配置されたタッチパネル（好ましくは、デジタル抵抗膜方式のタッチパネル）などであり、タッチパネルは、物体が接触した部分に配置された透明電極から出力される信号をＣＰＵ１０１やデータ処理部１０８に送る。なお、本実施例のタッチパネルは、いわゆるマルチタッチが可能であり、複数の物体が接触した複数の透明電極からの信号を処理することができるようになっている。
【００３３】
図３は、デジタル抵抗膜方式のタッチパネルの検出原理を示しており、図３（ａ）に示すように、タッチパネルには、順次Ｘ軸に電圧を印加する電圧印加ドライバと、Ｙ軸の出力を順次検出する検出センサとを含んでいる。そして、タッチパネルに押下された部分があると、電圧の印加位置と出力の検出位置とで、どの部分が押下されたかが検出される。例えば、図３（ｂ）に示すように、電圧の順次印加がＸ４の位置に来た時、センシング位置がＹ４であるときに、ポイントＡの接触を検出する。これにより、タッチパネル上で押下されたポイントＡの位置が判断できる。
【００３４】
通信部１０６は、ＮＩＣ（Network Interface Card）やモデムなどであり、有線通信や無線通信によりネットワークに接続されたコンピュータ装置やサーバと交信し、ドキュメントのデータなどを受信する。
【００３５】
電池１０７は、情報閲覧装置１００の各部を駆動するための電源を供給する二次電池などである。
【００３６】
データ処理部１０８は、操作部１０５（タッチパネル）から出力される信号に基づいて、物体の接触を検出し、接触を検出している検出時間に基づいて、その物体に関する表示を消去するか否かを判断する。また、接触面積や接触位置、移動速度、履歴情報などに基づいて、手書き入力を目的とする接触であるか否かを判断する。
【００３７】
なお、図２は、本実施例の情報閲覧装置１００の一例であり、その構成は適宜変更することができる。例えば、上記データ処理部１０８はハードウェアとして構成してもよいし、ＣＰＵ１０１で動作する表示制御プログラムとして構成してもよい。
【００３８】
次に、本実施例の情報閲覧装置１００による表示制御について、図面を参照して具体的に説明する。なお、以下では、意図せずに接触する物体として、定規を例にして説明するが、手書き入力以外の目的の任意の物体が接触した場合に対して同様に適用することができる。
【００３９】
ペンなどを用いてタッチパネル上に手書き入力を行う際、図４に示すように、定規を使用する場合がある。この場合、図５（ａ）に示すように、タッチパネル上に定規を接触させると、図５（ｂ）に示すように、タッチパネルで検出した情報（例えば、定規の外形を示す枠や枠内を塗り潰した画像、定規の特定の位置を示す点など、以下、これらを総称して形状と呼ぶ。）が画面上に表示される。この表示は、定規の接触位置が変化しなければ定規によって視認できないが、タッチパネル上で定規をずらした時やタッチパネルから定規を取り外した時に視認可能になってしまう。
【００４０】
ここで、定規はタッチパネル上に載置して使用するため、定規がタッチパネルに接触している時間は手書き入力の時間よりも必然的に長くなる。そこで、定規の接触を検出している検出時間を測定し、検出時間が予め定めた所定時間を超えた場合に、手書き入力以外の入力であると判断して、図５（ｃ）に示すように、表示部１０３に表示されている定規の形状を消去するようにする。このような制御を行うことによって、わざわざ登録処理を行わなくても、手書き入力以外の目的で接触した物体に関する情報を表示させないようにすることができる。
【００４１】
この場合の情報閲覧装置１００の動作について、図６のフローチャート図を参照して説明する。
【００４２】
データ処理部１０８は、タッチパネルから出力される信号に基づいて物体の接触を検出したら（Ｓ１０１）、物体の接触を検出している検出時間の計測を開始する（Ｓ１０２）。そして、ＣＰＵ１０１又はデータ処理部１０８は、検出した物体の形状を表示部１０３に表示させ、その形状をメモリ１０２などに記憶する（Ｓ１０３）。
【００４３】
次に、データ処理部１０８は、検出している形状に変化があったか（物体の検出位置に変化があったか）を判断する（Ｓ１０４）。検出している形状に変化がない（物体の検出位置に変化がない）場合は、その物体の形状を表示しても問題はない（その物体に隠れて視認できない）ため、処理を終了する。
【００４４】
一方、検出している形状に変化があった（物体の検出位置に変化があった）場合は、データ処理部１０８は、検出時間が予め定めた所定時間よりも長いかを判断する（Ｓ１０５）。そして、検出時間が所定時間以下の場合は、検出している物体が表示消去の対象となる物体（例えば、定規）ではないと判断できることから処理を終了し、検出時間が所定時間よりも長い場合は、検出した形状（変化する途中の形状を含む。）の表示を消去する（Ｓ１０６）。
【００４５】
このように、接触を検出している検出時間が予め定めた所定時間よりも長くなったら、その物体の形状の表示を消去することにより、意図しない物体（例えば、タッチパネル上に置かれた定規や情報閲覧装置１００を保持する手や指など）の接触跡が表示されたままになるという不具合を未然に防止することができる。
【００４６】
なお、上記フローでは、Ｓ１０４で、検出している形状に変化があったか（物体の検出位置に変化があったか）を判断しているが、検出している形状に変化がない（物体の検出位置に変化がない）場合であっても、検出した形状の表示を消去してもよく、その場合は、Ｓ１０４の処理を省略することができる。
【００４７】
上記方法により、一定時間置かれたままになる物体の形状の表示を消去することができるが、この方法では、手書き入力のための物体（例えば、ペン）の検出時間が所定時間よりも長い場合に、手書きされた情報も消去されてしまう。
【００４８】
そこで、図７に示すように、接触している物体の検出時間が予め定めた所定時間を超える場合は、検出している形状が手書き入力であるかを判断し、手書き入力でない場合は、物体の形状の表示を消去するようにする。この場合の情報閲覧装置１００の動作について、図８のフローチャート図を参照して説明する。
【００４９】
データ処理部１０８は、タッチパネルから出力される信号に基づいて物体の接触を検出したら（Ｓ２０１）、検出時間の計測を開始する（Ｓ２０２）。そして、ＣＰＵ１０１又はデータ処理部１０８は、検出した物体の形状を表示部１０３に表示させ、その形状をメモリ１０２などに記憶する（Ｓ２０３）。
【００５０】
次に、データ処理部１０８は、検出している形状に変化があったか（物体の検出位置に変化があったか）を判断する（Ｓ２０４）。検出している形状に変化がない（物体の検出位置に変化がない）場合は、その物体の形状を表示しても問題はないため、処理を終了し、検出している形状に変化があった（物体の検出位置に変化があった）場合は、データ処理部１０８は、検出時間が予め定めた所定時間よりも長いかを判断する（Ｓ２０５）。
【００５１】
検出時間が所定時間以下の場合は、検出している物体が表示消去の対象となる物体（例えば、定規）ではないと判断できることから処理を終了する。一方、検出時間が所定時間よりも長い場合は、検出している形状が手書き入力であるかを判断する（Ｓ２０６）。この判断方法については後述する。
【００５２】
そして、検出している形状が手書き入力であると判断した場合は、通常の表示を行い、検出している形状が手書き入力でないと判断した場合は、検出した形状（変化する途中の形状を含む。）の表示を消去する（Ｓ２０７）。
【００５３】
次に、Ｓ２０６の手書き入力か否かを判断する方法について説明する。この方法として、接触面積に基づいて判断する方法、接触位置に基づいて判断する方法、移動速度に基づいて判断する方法などが考えられる。
【００５４】
［接触面積に基づいて判断する方法］
例えば、手書きに使用されるシャープペン、ボールペン、マーカーは、直径０．５ｍｍ〜１０ｍｍ程度の円と想定できることから、その面積Ｓを予め設定しておき、検出した形状の面積が予め設定した面積Ｓよりも大きい場合は手書き入力ではないと判断することができる。
【００５５】
この方法について、図９のフローチャート図を参照して説明する。まず、データ処理部１０８は、タッチパネルで検出した物体の面積を測定する（Ｓ３０１）。そして、データ処理部１０８は、測定した面積と予め設定した所定面積とを比較し（Ｓ３０２）、測定した面積が所定面積以下の場合は、シャープペン、ボールペン、マーカーなどによる手書き入力であると判断する（Ｓ３０３）。一方、測定した面積が所定面積よりも大きい場合は、手書き入力以外であると判断する（Ｓ３０４）。
【００５６】
この方法は簡便な方法であるが、例えば、手書き入力に使用する筆記具として先端が太いマーカーなどを用いた場合、手書き入力ではないと判断される恐れがあり、また、先端が細い物体（例えば、爪など）が接触した場合は、手書き入力であると判断される恐れがあることに留意する必要がある。
【００５７】
［接触位置に基づいて判断する方法］
例えば、図１０に示すように、情報閲覧装置１００の上部にカメラを設置し、ペンの形状を検出した位置で入力された情報を手書きと判断することもできる。具体的には、カメラで撮影した画像を解析し、公知のパターン認識技術などを利用してペンなどを抽出し、抽出したペン先のタッチパネル上の座標を特定し、タッチパネルで検出した位置と特定した座標とが一致する場合は手書き入力であると判断することができる。
【００５８】
この方法では、ペンなどを用いた手書きであるか否かを確実に区別することができるが、カメラを別途用意する必要があり、また、画像から特定の物体を抽出したり座標を特定したりする処理が必要である。
【００５９】
［移動速度に基づいて判断する方法］
図１１に示すように、ペンなどを用いて文字などを手書きする場合、手書きの速度は大きな変化がなく、所定の速度範囲に入ると考えられる。そこで、検出した形状の変化した移動速度に基づいて手書き入力であるか否かを判断することも可能である。例えば、一般的な手書き速度をＶｍｉｎ〜Ｖｍａｘ、物体の移動速度をＶｔとした場合、Ｖｍｉｎ＜＝Ｖｔ＜＝Ｖｍａｘの関係を満たす時は、手書き入力であると判断することができる。
【００６０】
この方法について、図１２のフローチャート図を参照して説明する。まず、データ処理部１０８は、タッチパネルで検出した物体の面積を測定する（Ｓ４０１）。そして、データ処理部１０８は、検出された面積と予め設定した面積とを比較し（Ｓ４０２）、検出された形状の面積が予め設定した面積よりも大きい場合、手書き入力以外の入力であると判断する（Ｓ４０６）。
【００６１】
一方、検出された形状の面積が予め設定した面積以下の場合は、タッチパネルにて検出した形状の変化した移動速度（接触位置の移動速度）を測定し（Ｓ４０３）、検出された形状の変化移動速度が最小速度Ｖ１よりも大きく、最大速度Ｖ２よりも小さいかどうかを判断する（Ｓ４０４）。そして、この範囲内に入っている場合は、手書き入力であると判断し（Ｓ４０５）、範囲外の場合は、手書き入力以外であると判断する（Ｓ４０６）。
【００６２】
この方法では、ペンなどを用いた手書きであるか否かを確実に区別することができるが、物体の移動速度を測定する必要があり、また、ペンを最小速度Ｖ１よりもゆっくり動かした場合や最大速度Ｖ２よりも速く動かした場合に、手書き入力ではないと判断される恐れがあることに留意する必要がある。
【００６３】
以上、手書き入力か否かの判断する方法として、接触面積に基づいて判断する方法、接触位置に基づいて判断する方法、移動速度に基づいて判断する方法の３つを例示して説明したが、判断方法はこの例に限定されない。また、これらの方法は単独で使用してもよいし、複数を併用してもよい。
【００６４】
また、図８のフローでは、Ｓ２０４で、検出している形状に変化があったか（物体の検出位置に変化があったか）を判断しているが、検出している形状に変化がない（物体の検出位置に変化がない）場合であっても、検出した形状の表示を消去してもよく、その場合は、Ｓ２０４の処理を省略することができる。また、図８のフローでは、Ｓ２０５で、検出時間が所定時間よりも長く、かつ、Ｓ２０６で、検出している形状が手書き入力ではないと判断した場合に、検出した形状の表示を消去する構成としているが、検出時間が所定時間以下であっても、検出している形状が手書き入力ではなければ、検出した形状の表示を消去してもよく、その場合は、Ｓ２０５の処理を省略することができる。
【００６５】
以上、物体を検出してからの経過時間が所定時間よりも長くなった場合に、検出した形状の表示を消去する構成としたが、例えば、図１３（ａ）に示すように、物体が移動した状態で、検出時間が所定時間よりも長くなった場合、移動後の形状を消去しても、部分的に表示（初期状態の形状の表示）が残ってしまう。そこで、物体の形状が変化した場合（物体の接触部が移動した場合）は、図１３（ｂ）に示すように、その物体の形状の各時点の表示（すなわち、その物体を最初に検出してから最後に検出するまでの形状の軌跡）を消去するように制御することもできる。
【００６６】
また、上記説明では、タッチパネルに物体が接触する度に、その接触面積や接触位置、移動速度などから手書き入力であるか否かを判断する構成としたが、判断した結果を履歴として記憶しておくことによって、同じ物体が接触した時の判断を容易にすることができる。
【００６７】
例えば、図１４に示すように、タッチパネル上に定規が置かれ、所定時間経過後に取り除かれた場合、検出した形状の表示を消去することになるが、その際、検出した形状をメモリ１０２などに記憶しておく。その後、タッチパネルが物体の接触を検出したら、検出した形状とメモリ１０２に記憶している形状とを比較し、形状が一致する場合は、表示を消去する対象となる物体であると判断することにより、より正確且つ迅速に表示を消去することができる。
【００６８】
その際、検出した形状とメモリ１０２に記憶した形状とは完全に一致する必要はなく、例えば、検出した形状とメモリ１０２に記憶した形状の向きが異なっていても同じ物体と判断することができる。また、検出した形状とメモリ１０２に記憶した形状の大きさが多少異なっていても同じ物体と判断することができる。この形状の同一性を判断する方法について、図面を参照して説明する。
【００６９】
例えば、図１５に示すように、斜めに置かれた物体の形状をパターンＡ、タッチパネルに対して並行又は直角の向きに置かれた物体の形状をパターンＢ、やや大きい物体の形状をパターンＣとした場合、各パターンに矩形を当てはめて面積を算出する。そして、メモリ１０２に記憶したパターンの面積に対して、例えば、−３０％〜＋４０％の範囲内の大きさの形状であれば、同一物体として判断する。
【００７０】
なお、矩形が図１６に示すような分布となった場合、例えば、外周に位置する検出ポイントの配置が規則的で無い場合はその配置を無視し、かつ配列を平均化した時の配列方向に大きな変化があった場合はその変化ポイントを角と認識することで、太線のような外形形状を検出することができる。この形状は、長方形形状と類似であると判断するのは容易である。
【００７１】
また、上記説明では、タッチパネルに物体が接触した直後からの検出時間に基づいて表示を消去するか否かを判断する構成としたが、例えば、定規を情報閲覧装置１００に設置しようとしたとき、定規の位置を調整する場合がある。このような場合は、経過時間の測定開始タイミングを物体の接触を検出した時点から少し遅らせ、物体の位置がある程度決定するまで待つことができる。例えば、図１７に示すように、検出後の経過時間の測定を、タッチパネルにて検出を開始してから、遅延時間Ｔ２時間経った後に開始することによって、形状決定前の位置の変化に対して誤った制御を行うことを防止することができる。
【００７２】
また、経過時間の測定中に、検出した形状に変化があったときは測定を中止し、そのときの値Ｔが、所定時間Ｔ１に対して大きいか、小さいかで制御を変えることができる。例えば、Ｔ＞Ｔ１のときは、検出した形状の表示を消去し、Ｔ＜＝Ｔ１のときは、検出した形状を表示するようにすることができる。この所定時間Ｔ１については、手書き専用モードやお絵かきモード等の用途に合わせて、適宜設定値を変更することができる。
【００７３】
以上、説明したように、タッチパネルで物体の接触を継続して検出している検出時間が予め定めた所定時間を超えた場合に、その物体の形状の表示を消去したり、更に、検出された形状の面積や位置、移動速度、履歴情報などに基づいて手書き入力でないと判断した場合に、その物体の形状の表示を消去したりすることによって、必要な情報のみを表示することができる。
【００７４】
なお、本発明は上記実施例の記載に限定されるものではなく、本発明の趣旨を逸脱しない限りにおいて、その構成及び制御は適宜変更可能である。
【００７５】
例えば、上記説明では、タッチパネルに接触させた物体の枠の形状を表示するようにしたが、物体の枠内を塗りつぶして表示するようにしてもよい。また、上記実施例では、定規を置いた場合を例にして説明したが、手書きを意図しない任意の物体を接触させた場合に対して、同様に適用することができる。
【産業上の利用可能性】
【００７６】
本発明は、タッチパネルを設けた表示部を備える装置、及び当該装置で動作するプログラムに利用可能である。
【符号の説明】
【００７７】
１００  情報閲覧装置
１０１  ＣＰＵ
１０２  メモリ
１０３  表示部
１０４  表示コントローラ
１０５  操作部
１０６  通信部
１０７  電池
１０８  データ処理部
【図１】
2013058000.tif 000003
【図２】
2013058000.tif 000004
【図３】
2013058000.tif 000005
【図４】
2013058000.tif 000006
【図５】
2013058000.tif 000007
【図６】
2013058000.tif 000008
【図７】
2013058000.tif 000009
【図８】
2013058000.tif 000010
【図９】
2013058000.tif 000011
【図１０】
2013058000.tif 000012
【図１１】
2013058000.tif 000013
【図１２】
2013058000.tif 000014
【図１３】
2013058000.tif 000015
【図１４】
2013058000.tif 000016
【図１５】
2013058000.tif 000017
【図１６】
2013058000.tif 000018
【図１７】
2013058000.tif 000019
【図１８】
2013058000.tif 000020
【図１９】
2013058000.tif 000021
【図２０】
2013058000.tif 000022
【図２１】
2013058000.tif 000023